(57)【要約】【課題】構成片の組み合わせによって、装飾体が完成したときに点灯する。また、光源が点灯又は点滅するための接続が行われる場合と行われない場合とを作り、装飾体を組み立てることに対して遊技性を加える。【解決手段】内部に光源及び電源を有し、装飾体の少なくとも一部には透孔部分を有し、かつ組み立てられる際に隣接する構成片の接触部分に光源を点灯又は点滅させるための接続部分を配置し、更にこの接続部分は構成片の組み合わせによって接続可能となっている。更に、接続可能なな構成片と接続不可な構成片を用意することもできる。【選択図】図１
2014170694.tif 000002
【特許請求の範囲】
【請求項１】
複数の構成片を組み立てることによって立体形状を構成する装飾体であって、
内部に光源及び電源を有し、装飾体の少なくとも一部には透孔部分を有し、かつ組み立てられる際に隣接する構成片の接触部分に光源を点灯又は点滅させるための接続部分を配置したことを特徴とする装飾体。
【請求項２】
複数の構成片を組み立てることによって立体形状を構成する装飾体であって、
内部に光源及び電源を有し、装飾体の少なくとも一部には透孔部分を有し、かつ組み立てられる際に隣接する構成片の接触部分に光源を点灯又は点滅させるための接続部分を配置し、更にこの接続部分は構成片の組み合わせによって接続可能な構成片と接続不可な構成片を用意したことを特徴とする装飾体。
【発明の詳細な説明】
【技術分野】
【０００１】
この発明は、内部に光源を有する装飾体に関するものである。
【背景技術】
【０００２】
従来から、内部に光源を有する装飾体は提供されていた。
このような装飾体のうちで、内部に光源を有し、スイッチの操作によって点灯するものが数多く提供されていた。
このような装飾体の内で、スイッチに工夫を凝らせた装飾体があった。
例えば、特開２０１０−２７７８２４のように、装飾体を水に浮かせたときに、底面にある２つの電極が水を媒体として通電し、内部の光源が点灯するようなものが提供されていた。
【先行技術文献】
【特許文献】
【０００３】
【特許文献１】特開２０１０−２７７８２４
【発明の概要】
【発明が解決しようとする課題】
【０００４】
しかしながらこのような装飾体は、あらかじめ装飾体が完成しており、その装飾体に特定の条件（スイッチの操作あるいは水に浮かせる）が達成されたときには光源が点灯又は点滅するようになっているので、意外性がないこととなっていた。
そこで本発明は、複数の構成片、例えば２つの構成片を組み立てることによって装飾体を構成するように形成すると共に、構成片の組み合わせによって装飾体を完成したときに、光源が点灯又は点滅するための接続が行われるように形成することで、装飾体の完成に伴って光源が点灯又は点滅することとなっている。
更に、他の本発明は、複数の構成片、例えば２つの構成片を組み立てることによって装飾体を構成するように形成すると共に、構成片の組み合わせによって、光源が点灯又は点滅するための接続が行われる場合と行われない場合とを作り、いわゆる「貝合わせ」のように光源が点灯又は点滅するための接続が行われるような構成片を選択可能に形成し、装飾体を組み立てることに対して遊技性を加えることを目的とする。
【課題を解決するための手段】
【０００５】
前記した目的を達成するために、請求項１に記載の本発明は、複数の構成片を組み立てることによって立体形状を構成する装飾体であって、内部に光源及び電源を有し、装飾体の少なくとも一部には透孔部分を有し、かつ組み立てる際に隣接する構成片の接触部分に光源を点灯又は点滅させるための接続部分を配置し、更にこの接続部分は構成片の組み合わせによって接続可能としたことを特徴とする。
また、請求項２に記載の本発明は、複数の構成片を組み立てることによって立体形状を構成する装飾体であって、内部に光源及び電源を有し、装飾体の少なくとも一部には透孔部分を有し、かつ組み立てる際に隣接する構成片の接触部分に光源を点灯又は点滅させるための接続部分を配置し、更にこの接続部分は構成片の組み合わせによって接続可能な構成片と接続不可な構成片を用意したことを特徴とする
ここで、「複数の構成片を組み立てることによって立体形状を構成する装飾体」とは、例えば一対２枚の貝殻からなる二枚貝で説明すると、２枚の貝殻を合わせることによって立体的な貝の形状をした装飾体を示している。
【０００６】
なおここで、装飾体は、例えば２分割あるいは３分割されたものであって、動物の形状となる装飾体、自動車の形状となる装飾体等のように、組み立てたときに立体形状のものであれば、前記貝以外でも足りる。
「内部に光源及び電源」とは、立体形状をした装飾体の内部に設けられてる、光源、例えば電球、ＬＥＤ等、あるいは電源、例えばバッテリー、電池等をいう。
「装飾体の少なくとも一部には透孔部分を有し」とは、装飾体全体が透光性のある部材で構成されている場合があるものの、装飾体の一部のみに透光性のある部分が形成されている場合も含むものである。この透光性のある部分は、前記した光源の光を認識可能とするためのものである。
【０００７】
「組み立てられる際に隣接する構成片の接触部分に光源を点灯又は点滅させるための接続部分を配置し」とは、例えば一対２枚の貝殻からなる二枚貝で説明すると、一方の貝殻に光源及び電源を設けると共にその配線の一部を他の貝殻の重なる部分に間隙を有するようにして設け、他方の貝殻に一方の貝殻と重ねた時に一方の貝殻の配線の間隙を接続するような接続部分が設けられ、二枚貝を完成させたときに光源及び電源が接続し、光源が点灯するようになっている状態を示す。なお２枚の貝殻の接続に関しては、前記した場合のみならず、２枚の貝殻を重ねたときに光源及び電源が接続して光源が点灯するようになっていれば足りる。更に、第１部分、第２部分、第３部分との３部材の構成片によって全体が形成されている場合、そのうちの２部材の接触部分のみに接続部分を配置することもできるし、第１部材と第２部材との接触部分に接続部分を配置し、更に第２部材と第３部材との接触部分に接続部分を配置し、３部材を接続させたときに初めて光源と電源とが接続するように形成することもできる。
【０００８】
「この接続部分は構成片の組み合わせによって接続可能な構成片と接続不可な構成片を用意した」とは、例えば一対２枚の貝殻からなる二枚貝で説明すると、貝殻が貝殻Ａ、貝殻Ｂ、貝殻Ｃ、貝殻Ｄが用意してあった場合、接続部分の配置が異なることに起因して、貝殻Ａと貝殻Ｂとを重ねたとき、あるいは貝殻Ｃと貝殻Ｄとを重ねたとき、には光源と電源とが接続して光源が点灯するものの、貝殻Ａと貝殻Ｄとは接続部分の配置が異なり接続できないように形成されていることをいう。この場合には、複数ある貝殻の内で、接続部分の配置によって、光源が点灯する貝殻と点灯しない貝殻が存在することとなる。
なお、別途スイッチを設け、接続部分で接続させたとしても、スイッチの操作によって点灯または点滅するように形成することもできる。
【発明の効果】
【０００９】
本発明では、複数の構成片を組み合わせて内部に光源を有する立体形状を構成する装飾体の完成に伴って、前記光源が点灯又は点滅することとなっている。
更に他の発明では、複数の構成片を組み合わせて内部に光源を有する立体形状を構成する装飾体であるものの、複数の構成片の内、所定の構成片相互でないと内部の光源に点灯しないように形成することで、複数の構成片の選択の段階から楽しむことができる。
更に、内部の光源に点灯できるように複数の構成片が組み合わせて用意されたとしても、他の構成片との組み合わせでは点灯しないこととなるので、自分のためのオンリーワンの装飾体として楽しむことができる。
【００１０】
更には、複数ある構成片の一部のみを有している場合には、有している構成片との間で内部の光源に点灯する他の構成片を探す楽しみもある。
【図面の簡単な説明】
【００１１】
【図１】全体図と、構成片が２つで装飾体を構成する例を２組示した半割状態の正面図。
【図２】全体図と、構成片が３つで装飾体を構成する例を示した斜視図。
【発明を実施するための形態】
【００１２】
以下、本発明の実施の形態を、装飾体１０を貝殻に変えて、２分割された卵形状のものとした場合について、図面を参照しつつ説明する。
第１図は、構成片としての卵２０が２つで装飾体１０を構成する例の全体図、及び接続部分が異なる装飾体１０を１組づつ計２組を半割状態で示した正面図である。
装飾体１０としての卵２０に関しては、便宜上、図面左側の卵を左卵２１と称し、右側の卵を右卵２２と称して説明する。
２つの半割卵２１，２２の外観はいずれも同一形状に形成されている。各卵２１，２２は膨出部分２３と膨出部分２３の縁部に相当する接触部分２４とから形成されている。接触部分２４は、２つの半割卵２１，２２を合わせたときに重なる部分である。
【００１３】
また、左卵２１及び右卵２２の全部または一方あるいは一部は透光性のある材料によって形成されている。素材として、透光性のある素材、例えばガラスあるいは透光性のあるプラスチックによって両卵２１，２２あるいは一方の卵２１（２２）を形成することもできるし、ガラスあるいは透光性のあるプラスチックに塗装を施し、一部の卵２１（２２）のみ透光性が残るようにすることも可能である。
左卵２１には、電源２５と光源２６とが直列に接続されるようにして膨出部分２３に収納し、かつ接続線２７の端部を間隙を有して接触部分２４に位置させ、左接続部分２８を形成している。
【００１４】
また、右卵２２の接触部分２４には、右卵２２と左卵２１とが組み合わされた時に、左卵２１の左接続部分２８である接続線２７の間隙部分を電気的に連結する右接続部分２９が設けてある。
従って、この右卵２２と左卵２１とを接触部分２４で重ねると、装飾体１０としての卵が完成すると共に、左接続部分２８と右接続部分２９とが電気的に接続されるので、光源２６に通電されて卵２０の内部が明るくなる。
但しここで、図１（Ｂ）の右卵２２と第１（Ｃ）の左卵２１とを接触部分２４で重ねると、装飾体１０としての卵が完成するものの、左接続部分２８と右接続部分２９とが電気的に接続されないので、光源２６に通電されて卵２０の内部が明るくなることはない。
【００１５】
図１では、（Ｂ）の右卵２２と左卵２１との組み合わせ、及び（Ｃ）の右卵２２と左卵２１との組み合わせに限って、左接続部分２８と右接続部分２９とが電気的に接続されるので、光源２６に通電されて卵２０の内部が明るくなるものてある。
図２は、装飾体１０を、左装飾片３１、中装飾片３２、右装飾片３３とで形成された卵３０とした例の全体図と、斜視図である。
ここでは、左装飾片３１には、電源２５と光源２６とが直列に接続されるようにして収納されている。また、接続部分が、左装飾体３１の左接続部分３４と、中装飾体３２の中左接続部分３５とこの中左接続部分３２に電気的に接続している中右接続部分３６と、右装飾体３３の右接続部分３７とによって形成され、左装飾片３１、中装飾片３２、右装飾片３３とを組み合わせて装飾体１０を完成したときに、光源２６に通電された装飾体１０が明るくなるように形成されている。
【００１６】
このように３分割で構成し、接続部分を複数箇所とすると、組み合わせのさらなる多様化が図れるものである。
このような本願発明に係る装飾体１０は、前記した卵２０に模した装飾体１０で説明すると、最初に、多数の左卵２１と多数の右卵２２とに分けて用意し、接続部分が対応する卵相互を見つけるようにすることもできる。このときには、例えば左卵２１を男性が持ち、右卵２２を女性が持つことによって、卵を用いてカップルを作ることが可能となる。
また、あらかじめ接続部分２８，２９が対応する左卵２１と右卵２２とを用意しておき、左卵２１と右卵２２とを組み合わせたときに光源２６が点灯するように形成することもできる。このときには、他の卵との組み合わせでは光源２６が点灯しないこととなるので、結婚式のセレモニーとして他の人とでは組み合わせにならないことの象徴することができる。
【００１７】
なお、以上の説明では卵２０，３０を中心として説明したが、立体形状のものであれば、どのように装飾体にでも応用できる。
例えば二枚貝あるいはキューピットとして形作ることもできるし、自動車、飛行機等にも形作ることが可能である。
また、以上の説明では、左卵２１と右卵２２とを組み合わせれば点灯するとして説明したが、組み合わせた上で別途設けたスイッチの操作によって点灯するように形成することもできる。
更に電源２５と光源２６とは、各々別の卵に設けることもできる。
【符号の説明】
【００１８】
１０  装飾体
２０  卵                        ２１  左卵
２２  右卵                      ２３  膨出部分
２４  接触部分                  ２５  電源
２６  光源                      ２７  接続線
２８  左接続部分                ２９  右接続部分
３０  卵                        ３１  左装飾片
３２  中装飾片                  ３３  右装飾片
３４  左接続部分                ３５  中左接続部分
３６  中右接続部分              ３７  右接続部分
【図１】
2014170694.tif 000003
【図２】
2014170694.tif 000004